(57)【特許請求の範囲】
【請求項１】
音波を受けて振動する振動板と、この振動板に固着されて上記振動板とともに振動するボイスコイルと、上記ボイスコイルが配置されている磁気ギャップを含みこの磁気ギャップに磁場を生成する磁気回路と、上記振動板の背面側空間に配置されている音響抵抗体と、を備えているダイナミックマイクロホンユニットであって、
上記音響抵抗体は、
音響抵抗体の本体をなすフェルトと、
音波を通す素材からなり上記フェルトの両面に重ねて配置されているカバー材と、
有底円筒状形状をしていて底板に相当する部分に音波が通る孔を有し、上記フェルトと上記カバー材を収納し、開放端縁部に形成されている折り曲げ部で上記カバー材の周縁部を押圧している音響抵抗体ケースと、を備えているダイナミックマイクロホンユニット。
【請求項２】
上記フェルトの両面に重ねて配置されている上記カバー材にはそれぞれリング状の押さえ部材が重ねて配置され、一方の上記押さえ部材は上記音響抵抗体ケースの底板に相当する部分に当接し、他方の上記押さえ部材は上記音響抵抗体ケースの上記折り曲げ部によって押圧されている請求項１記載のダイナミックマイクロホンユニット。
【請求項３】
上記フェルトにかかる押圧力は周縁部が最も強く中心に向かって順次弱くなり、これに伴って上記フェルトの音響抵抗値が周縁部から中心に向かって順次低くなっている請求項１または２記載のダイナミックマイクロホンユニット。
【請求項４】
上記音響抵抗体ケースの上記折り曲げ部の折り曲げ度合いによって上記フェルトに加わる圧力が調節され音響抵抗値が調節されている請求項１、２または３記載のダイナミックマイクロホンユニット。
【請求項５】
上記カバー材は、上記フェルトよりも音響抵抗値の低い素材からなる請求項１乃至４のいずれかに記載のダイナミックマイクロホンユニット。
【請求項６】
上記振動板、上記磁気回路を含む内蔵部品が組み込まれているユニットケースを有し、上記音響抵抗体は、上記音響抵抗体ケースの外周面を上記ユニットケースの内周面に密着させることにより上記ユニットケース内の空間に配置されている請求項１乃至５のいずれかに記載のダイナミックマイクロホンユニット。
【請求項７】
マイクロホンケースにダイナミックマイクロホンユニットが組み込まれてなるダイナミックマイクロホンであって、上記ダイナミックマイクロホンユニットは請求項１乃至６のいずれかに記載されているダイナミックマイクロホンユニットであるダイナミックマイクロホン。
【発明の詳細な説明】
【技術分野】
【０００１】
本発明は、ダイナミックマイクロホンユニットおよびダイナミックマイクロホンに関するもので、特に、振動板の背後に配置されている音響抵抗体の構造に特徴を有するものである。
【背景技術】
【０００２】
単一指向性ダイナミックマイクロホンの無指向性成分は抵抗制御であり、双指向性成分は質量制御である。上記無指向性成分を得るために、振動板の直後に音響抵抗を配置し、この抵抗成分の周波数応答を平坦にすることによってダイナミックマイクロホンの単一指向性を得ている。
【０００３】
図６は、従来のダイナミックマイクロホンユニットの一例を示している。図６において、符号１は、マイクロホンユニットの基体をなすユニットケースを示している。ユニットケース１は、磁性体からなり、後述の内ヨーク２に対して外ヨークとしての機能も兼ね備えていて磁気回路の一部を構成している。ユニットケース１は上下両端が解放した円筒形状で、内周側の上下方向中間部に段部１２が形成され、段部１２より上方が大径部、下方は小径部になっている。
【０００４】
ユニットケース１の上記大径部には、以下のような磁気回路形成部材が収納されることによって磁気回路が構成されている。まず、上記大径部には円板状の内ヨーク２が嵌められ、内ヨーク２はユニットケース１の段部１２に当接して上下方向の位置決めがなされるとともに、内ヨーク２の周壁の外周面はユニットケース１の内周面に接している。内ヨーク２の上には、ユニットケース１の上記大径部の内径よりも外径の小さい円板状の磁石３が固定され、磁石３の上には円板状のポールピース４が固定されている。磁石３、内ヨーク２、ユニットケース１、ポールピース４が磁気回路形成部材であって、ポールピース４の上面とユニットケース１の上端面は略同じ高さ位置にある。また、ポールピース４の外周面とユニットケース１の上端部内周面が適宜の間隔をおいて対向し、円形の磁気ギャップを形成している。
【０００５】
磁石３から出る磁束は、内ヨーク２、ユニットケース１、上記磁気ギャップ、ポールピース４で構成される磁気回路を通って磁石３に戻る。よって、上記磁気ギャップを磁束が横切っている。上記磁気ギャップの下方には、磁石３の外周面とユニットケース１の内周面との間に磁気ギャップよりも幅広の空気室９が形成されている。ポールピース４、磁石３、内ヨーク２にはそれぞれ同じ径の中心孔４１，３１，２１が形成され、これらの中心孔４１，３１，２１は、ユニットケース１の下側約半分の小径部で囲まれている空気室１１に通じている。
【０００６】
ユニットケース１の上端部外周には、非磁性材からなる円筒部材３５が固着されている。円筒部材３５は上端部内周側に全周にわたって突縁部３６を有していて、この突縁部３６がユニットケース１の上端部外周に固着されている。円筒部材３５の突縁部３６には、この突縁部３６を上下に貫く孔３７が複数設けられていて、これらの孔３７は、上記突縁部３６の上面に貼り付けられた薄板状の音響抵抗材１８で覆われている。上記突縁部３６の下方には、ユニットケース１の外周面と円筒部材３５の内周面とによって円形の空間３８が形成されている。空間３８は、後で説明する振動板５のサブドーム５２の背面側空間に、上記音響抵抗材１８と孔３７を介して通じている。
【０００７】
円筒部材３５の上端外周に沿って突縁部１４が形成されるとともに、この突縁部１４よりも内方においてかつ突縁部１４よりも低い位置に突起１３が突縁部１４と同心の円に沿って形成されている。上記突起１３の上面には、振動板５の外周縁部が固着されている。振動板５は合成樹脂や金属の薄膜を素材とし、この素材を成形することによって、センタードーム５１とこのセンタードーム５１を囲むサブドーム５２を備えている。センタードーム５１は球面の一部を切り取った形であるのに対し、サブドーム５２は断面が部分円弧形状でセンタードーム５１の外周縁に連続して形成され、サブドーム５２の外周縁部が上記突起１３の上面に固着されている。振動板５は、上記のようにサブドーム５２の外周縁部が固定されているため、音波を受けるとその音圧によりサブドーム５２の外周縁部を支点として前後方向（図６において上下方向）に振動することができる。
【０００８】
振動板５にはセンタードーム５１とサブドーム５２の円形の境界線に沿ってボイスコイル６が固着されている。ボイスコイル６は、細い導線を巻き回すことにより円筒形状に形成されかつ固められたもので、円筒形状の一端が振動板５に固着されている。振動板５のサブドーム５２の外周縁部が上記のように固着されている状態で、ボイスコイル６が前記磁気ギャップ内に位置し、ボイスコイル６はユニットケース１からもポールピース４からも離間している。
【０００９】
ポールピース４の上面には振動板５の保護部材７が固着されている。保護部材７の上面は振動板５のメインドーム５１と同様に球面の一部を切り取ったドーム形になっていて、メインドーム５１の背面に対して一定の間隔をおいて対向している。保護部材７は、振動板５が過剰な振幅で振動しようとするとき振動板５の振動を制限して、振動板５およびこれと一体のボイスコイル６の破損を防止する。保護部材７も中心孔７１を有し、この中心孔７１と、前記ポールピース４、磁石３、内ヨーク２に形成されている同じ径の中心孔４１，３１，２１を介して、上記メインドーム５１の背面側空間と前記空気室１１とがつながっている。
【００１０】
振動板５の正面側には、振動板５の保護部材を兼ねたイコライザー８が、その外周縁部をユニットケース１の突縁部１４に固着することによって配置されている。イコライザー８の中心部の天井面はドーム状に形成され、振動板５のセンタードーム５１との間に一定間隔の隙間が保たれている。イコライザー８は外部からの音波を振動板５に導くための複数の孔８２を有している。
【００１１】
ユニットケース１の下端には蓋１０が嵌め込まれることによって閉じられ、ユニットケース１の内部に比較的大きな前記空気室１１が形成されている。前記内ヨーク２の下面に密着させて音響抵抗体１６が配置され、ユニットケース１の小径部の内周面で音響抵抗体１６の外周が支持されている。音響抵抗体１６は不織布などを厚く重ねることによって形成されている。音響抵抗体１６は振動板５の背面側空間に配置され、振動板５の背面側の空間は、上記のように蓋１０により閉じられ、比較的大きな振動板５の背面側空気室１１が形成されている。
【００１２】
振動板５は、音波を受けるとその音圧の変化にしたがって前後に振動し、振動板５とともにボイスコイル６も前後に振動する。ボイスコイル６が振動するとき前記磁気ギャップを通っている磁束をボイスコイル６が横切り、ボイスコイル６が音圧の変化に対応した音声信号を発電する。このようにして電気音響変換が行われ、例えば、サブドーム５２の背面に沿って引き回されているボイスコイル６の両端から音声信号が外部に出力される。
【００１３】
上記のように構成されたダイナミックマイクロホンユニットにおいて、振動板５の背面側空間に配置されている音響抵抗体１６によって、前述の無指向性成分を得るための音響抵抗を得ている。音響抵抗体１６の素材は、不織布、樹脂メッシュ、スポンジ、フェルト、その他各種のものを用いることができるが、ダイナミックマイクロホンの無指向性成分を生成するための音響抵抗体としては、フェルトが適している。フェルトは、音響抵抗密度が比較的高いことと、ある程度大きな体積を持たせることができるため、音波を吸収しやすい特性がある。図７はフェルトの吸音率を測定した結果を示しており、周波数が高くなるにしたがって吸音率が高くなり、２０００Ｈｚ付近で吸音率が最も高くなっている。このような特性を持っているフェルトを、ダイナミックマイクロホンの無指向性成分を作る音響抵抗体として用いることにより、振動板５の背面側空間に起因する共振を容易に防止することができる。
【００１４】
しかし、フェルトは主に動物繊維を固めたものであることから、表面から繊維が脱落しやすい。フェルトを素材にした音響抵抗体をダイナミックマイクロホンに用いると、音響抵抗体の表面から脱落した繊維が磁気ギャップなどの隙間に侵入する。磁気ギャップに繊維が侵入すると、ボイスコイルに繊維が引っ掛かり、ボイスコイルの動きを繊維が阻害し、マイクロホンの音響特性を劣化させる。
【００１５】
ところで、フェルトのような弾力のある音響抵抗体１６をマイクロホンユニット部品（図６の例ではユニットケース１の内周面）に取り付ける場合、ユニット部品と音響抵抗体１６との間に隙間があると、この隙間を矢印で示すように音波が通り、音響抵抗体１６が音響抵抗として機能せず、性能不良を生じる。そこで、音響抵抗体１６であるフェルトの端縁部とこの端縁部を保持するユニット部品との接触部分を、シーラントなどでシールしたものもある。図６において符号１７は上記シールを示している。しかし、フェルトは上記のように主に動物繊維を固めたものであるため、フェルトの端縁部とユニット部品との接触部分をシーラントなどで固めても、音響抵抗が均一な音響抵抗体を作成することは難しい。フェルトの圧縮度合いをねじなどで調節して音響抵抗を調節することができるようにした音響抵抗体も考えられているが、構造が複雑になるとともに、一つ一つの音響抵抗体につき音響抵抗を調節しなければならないというような製造工程上の煩雑さがある。
【００１６】
なお、ダイナミックマイクロホンにおいて、振動板の背面側空間に音響抵抗を配置した構造は、特許文献１、特許文献２などに記載されている。
【先行技術文献】
【特許文献】
【００１７】
【特許文献１】特開２０１１−１４９９０号公報
【特許文献２】特開２００７−３００２６７号公報
【発明の概要】
【発明が解決しようとする課題】
【００１８】
本発明は、従来の問題点を解消すること、すなわち、振動板の背後に配置されているフェルトからなる音響抵抗体から繊維が脱落することを防止し、また、上記音響抵抗体の音響抵抗値のばらつきを小さくすることができる構造にすることにより、マイクロホンの音響特性の劣化を防止することができるダイナミックマイクロホンユニットおよびこのマイクロホンユニットを用いたダイナミックマイクロホンを提供することを目的とする。
【課題を解決するための手段】
【００１９】
本発明は、
音波を受けて振動する振動板と、この振動板に固着されて上記振動板とともに振動するボイスコイルと、上記ボイスコイルが配置されている磁気ギャップを含みこの磁気ギャップに磁場を生成する磁気回路と、上記振動板の背面側空間に配置されている音響抵抗体と、を備えているダイナミックマイクロホンユニットであって、
上記音響抵抗体は、
音響抵抗体の本体をなすフェルトと、
音波を通す素材からなり上記フェルトの両面に重ねて配置されているカバー材と、
有底円筒状形状をしていて底板に相当する部分に音波が通る孔を有し、上記フェルトと上記カバー材を収納し、開放端縁部に形成されている折り曲げ部で上記カバー材の周縁部を押圧している音響抵抗体ケースと、を備えていることを最も主要な特徴とする。
【発明の効果】
【００２０】
フェルトを構成する繊維が脱落することを、フェルト両面に重ねられているカバー材が防止し、上記繊維の脱落によるボイスコイルや振動板の動作不良を防止することができる。また、音響抵抗体ケースの折り曲げ部の折り曲げ度合いを一定にすることにより、個々の音響抵抗体におけるフェルトの押圧力のばらつきを少なくすることができ、音響抵抗値のばらつきを小さくすることができる。もって、音響特性の劣化のないダイナミックマイクロホンユニットおよびこのマイクロホンユニットを用いたダイナミックマイクロホンを提供することができる。
【図面の簡単な説明】
【００２１】
【図１】本発明に係るダイナミックマイクロホンユニットの実施例を示す縦断面図である。
【図２】上記実施例中の音響抵抗体を示す底面図である。
【図３】上記音響抵抗体の縦断面図である。
【図４】上記音響抵抗体の構成部品を示す分解縦断面図である。
【図５】上記音響抵抗体の組立過程の例を示す縦断面図である。
【図６】従来のダイナミックマイクロホンユニットの一例を示す縦断面図である。
【図７】音響抵抗体を構成するフェルトの音声周波数に対する吸音率を示す特性線図である。
【発明を実施するための形態】
【００２２】
以下、本発明に係るダイナミックマイクロホンユニットの実施例を、図面を参照しながら説明するとともに、本発明に係るダイナミックマイクロホンについても言及する。なお、図６に示す従来のダイナミックマイクロホンユニットの構成部分と同じ構成部分には共通の符号を付した。
【実施例】
【００２３】
図１において、符号１は、マイクロホンユニットの基体をなすユニットケースを示している。ユニットケース１は、磁性体からなり、後述の内ヨーク２に対して外ヨークとしての機能も兼ね備えていて磁気回路の一部を構成している。ユニットケース１は上下両端が解放した円筒形状で、内周側の上下方向中間部に段部１２が形成され、段部１２より上方が大径部、下方は小径部になっている。
【００２４】
ユニットケース１の上記大径部には、以下のような磁気回路形成部材が収納されることによって磁気回路が構成されている。まず、上記大径部には円板状の内ヨーク２が嵌められ、内ヨーク２はユニットケース１の段部１２に当接して上下方向の位置決めがなされるとともに、内ヨーク２の外周面はユニットケース１の内周面に接している。内ヨーク２の上には、ユニットケース１の上記大径部の内径よりも外径の小さい円板状の磁石３が固定され、磁石３の上には円板状のポールピース４が固定されている。磁石３、内ヨーク２、ユニットケース１、ポールピース４が磁気回路形成部材であって、ポールピース４の上面とユニットケース１の上端面は略同じ高さ位置にある。また、ポールピース４の外周面とユニットケース１の上端部内周面が適宜の間隔をおいて対向し、円形の磁気ギャップを形成している。
【００２５】
磁石３から出る磁束は、内ヨーク２、ユニットケース１、上記磁気ギャップ、ポールピース４で構成される磁気回路を通って磁石３に戻る。よって、上記磁気ギャップを磁束が横切っている。上記磁気ギャップの下方には、磁石３の外周面とユニットケース１の内周面との間に磁気ギャップよりも幅広の空気室９が形成されている。ポールピース４、磁石３、内ヨーク２にはそれぞれ同じ径の中心孔４１，３１，２１が形成され、これらの中心孔４１，３１，２１は、ユニットケース１の下側約半分の小径部で囲まれることにより形成されている空気室１１に通じている。
【００２６】
ユニットケース１の上端部外周には、非磁性材からなる円筒部材３５が固着されている。円筒部材３５は上端部内周側に全周にわたって突縁部３６を有していて、この突縁部３６がユニットケース１の上端部外周に固着されている。円筒部材３５の突縁部３６には、この突縁部３６を上下に貫く孔３７が複数設けられていて、これらの孔３７は、上記突縁部３６の上面に貼り付けられた薄板状の音響抵抗材１８で覆われている。上記突縁部３６の下方には、ユニットケース１の外周面と円筒部材３５の内周面とによって円形の空間３８が形成されている。空間３８は、後で説明する振動板５のサブドーム５２の背面側空間に、上記音響抵抗材１８と孔３７を介して通じている。
【００２７】
円筒部材３５の上端外周に沿って突縁部１４が形成されるとともに、この突縁部１４よりも内方においてかつ突縁部１４よりも低い位置に突起１３が突縁部１４と同心の円に沿って形成されている。上記突起１３の上面には、振動板５の外周縁部が固着されている。振動板５は合成樹脂や金属の薄膜を素材とし、この素材を成形することによって、センタードーム５１とこのセンタードーム５１を囲むサブドーム５２を備えている。センタードーム５１は球面の一部を切り取った形であるのに対し、サブドーム５２は断面が部分円弧形状でセンタードーム５１の外周縁に連続して形成され、サブドーム５２の外周縁部が上記突起１３の上面に固着されている。振動板５は、上記のようにサブドーム５２の外周縁部が固定されているため、音波を受けるとその音圧によりサブドーム５２の外周縁部を支点として前後方向（図１において上下方向）に振動することができる。
【００２８】
振動板５にはセンタードーム５１とサブドーム５２の円形の境界線に沿ってボイスコイル６が固着されている。ボイスコイル６は、細い導線を巻き回すことにより円筒形状に形成されかつ固められたもので、円筒形状の一端が振動板５に固着されている。振動板５のサブドーム５２の外周縁部が上記のように固着されている状態で、ボイスコイル６が前記磁気ギャップ内に位置し、ボイスコイル６はユニットケース１からもポールピース４からも離間している。
【００２９】
ポールピース４の上面には振動板５の保護部材７が固着されている。保護部材７の上面は振動板５のメインドーム５１と同様に球面の一部を切り取ったドーム形になっていて、メインドーム５１の背面に対して一定の間隔をおいて対向している。保護部材７は、振動板５が過剰な振幅で振動しようとするとき振動板５の振動を制限して、振動板５およびこれと一体のボイスコイル６の破損を防止する。保護部材７も中心孔７１を有し、この中心孔７１と、前記ポールピース４、磁石３、内ヨーク２に形成されている同じ径の中心孔４１，３１，２１を介して、上記メインドーム５１の背面側空間と前記空気室１１とがつながっている。
【００３０】
振動板５の正面側には、振動板５の保護部材を兼ねたイコライザー８が、その外周縁部をユニットケース１の突縁部１４に固着することによって配置されている。イコライザー８の中心部の天井面はドーム状に形成され、振動板５のセンタードーム５１との間に一定間隔の隙間が保たれている。イコライザー８は外部からの音波を振動板５に導くための複数の孔８２を有している。
【００３１】
ユニットケース１の下端には蓋１０が嵌め込まれることによって閉じられ、ユニットケース１の内部に比較的大きな前記空気室１１が形成されている。振動板５と保護部材７との間の空間、保護部材７、ポールピース４、磁石３、内ヨーク２の各孔７１，４１，３１，２１で囲まれている空間および上記空気室１１は連通していて、これらの連通している空間は、振動板５の背面側空間となっている。この振動板５の背面側空間には、本発明の特徴的な構成部分である音響抵抗体１２０が配置されている。以下、図２乃至図５を併せて参照しながら音響抵抗体１２０について具体的に説明する。
【００３２】
図１乃至図３において、音響抵抗体１２０は、音響抵抗体１２０として主要な部分を構成するフェルト１２２と、音波を通す素材からなりフェルト１２２の両面に重ねて配置されているカバー材１２３と、各カバー材１２３の外周縁部に沿い重ねて配置されているリング状の押さえ部材１２４と、上記フェルト１２２、カバー材１２３、押さえ部材１２４を収納している音響抵抗体ケース１２１を有してなる。音響抵抗体ケース１２１は、金属などの薄板を素材とした有底円筒状形状の部品で、底板に相当する部分に音波が通る複数の孔１２５を有している。音響抵抗体ケース１２１はまた、上記各部品を収納した状態で開放端縁部が内周側に向かって折り曲げられることにより折り曲げ部１２６が形成されている。上記折り曲げ部１２６により上記各収納部品の外周縁部が互いに押圧された状態で、上記各収納部品が音響抵抗体ケース１２１に収納されている。
【００３３】
フェルト１２２は、適宜の音響抵抗値と吸音率を持つように、ある程度大きな厚みを持っている。カバー材１２３はフェルト１２２よりも音響抵抗値が低くかつ音波を通しやすいメッシュあるいはスポンジなどからなる。カバー材１２３はフェルト１２２の両面から繊維が脱落するのを防いでいる。押さえ部材１２４の素材は特に限定されず、金属でもプラスチックでもよい。フェルト１２２の両面に重ねて配置されているカバー材１２３の外周縁部にそれぞれ押さえ部材１２４が重ねて配置され、一方の押さえ部材１２４は音響抵抗体ケース１２１の底板に相当する部分に当接し、他方の押さえ部材１２４は音響抵抗体ケース１２１の折り曲げ部１２６によって押圧されている。
【００３４】
図４は、音響抵抗体ケース１２１に上記各収納部品を収納する前の状態を示しており、図５は、音響抵抗体ケース１２１に上記各収納部品を収納し、音響抵抗体ケース１２１の開放端縁部に折り曲げ部１２６を形成する前の状態を示している。上記折り曲げ部１２６の形成は、冶具などを用いて音響抵抗体ケース１２１の開放端縁部側に位置する押さえ部材１２４を音響抵抗体ケース１２１の底板に向かって押圧した状態で行う。押さえ部材１２４を押圧することにより、両側のカバー材１２３を介してフェルト１２２の厚さ方向両側から押圧力がかかる。フェルト１２２にかかる押圧力は周縁部が最も強く中心に向かって順次弱くなり、これに伴ってフェルト１２２の密度が周縁部から中心に向かって順次低くなり、フェルト１２２の音響抵抗値が周縁部から中心に向かって順次低くなっている。
【００３５】
音響抵抗体１２０の音響抵抗値はほぼフェルト１２０の音響抵抗値で決まり、フェルト１２０の音響抵抗値は厚さ方向両側からの押圧力で決まる。フェルト１２２の両側からの押圧力は音響抵抗体ケース１２１の折り曲げ部１２６の折り曲げ度合いによって決まる。上記折り曲げ部１２６の折り曲げ度合いは、予め、音響抵抗体１２０の設計段階において定めることができるので、音響抵抗体１２０を組み立てる段階で設計通りに上記折り曲げ部１２６を折り曲げれば、音響抵抗値のばらつきの少ない音響抵抗体１２０を得ることができる。
【００３６】
以上のようにして組み立てられた音響抵抗体１２０は、音響抵抗体ケース１２１の外周面をユニットケース１の小径部の内周面に密着させることによりユニットケース１内の空気室１１に配置されている。空気室１１は振動板５の背面側空間を構成していて、この振動板５の背面側空間に音響抵抗体１２０が配置されていることによって、ダイナミックマイクロホンユニットの無指向性成分を得ることができ、もって、単一指向性ダイナミックマイクロホンユニットを実現している。
【００３７】
振動板５は、音波を受けるとその音圧の変化にしたがって前後に振動し、振動板５とともにボイスコイル６も前後に振動する。ボイスコイル６が振動するとき前記磁気ギャップを通っている磁束をボイスコイル６が横切り、ボイスコイル６が音圧の変化に対応した電気信号を生成する。この電気信号が音声信号であり、このようにして電気音響変換が行われ、例えば、サブドーム５２の背面に沿って引き回されているボイスコイル６の両端から音声信号が外部に出力される。
【００３８】
上記実施例によれば、無指向性成分を得るために振動板５の背面側空間に配置されている音響抵抗体１２０が、フェルト１２２と、フェルト１２２の両面に重ねて配置されているカバー材１２３と、リング状の押さえ部材１２４と、上記フェルト１２２とカバー材１２３とリング状の押さえ部材１２４を収納する音響抵抗体ケース１２１とを有することによって構成され、音響抵抗体ケース１２１の開放端縁部に形成されている折り曲げ部１２６で、リング状の押さえ部材１２４を介してカバー材１２３の周縁部を押圧しているため、音響抵抗体として主要な部品であるフェルト１２２を構成している繊維の脱落がカバー材１２３で防止され、上記繊維が磁気ギャップなどに侵入してダイナミックマイクロホンユニットの音響特性を劣化させるという技術的な課題を解決することができる。
【００３９】
上記実施例によればまた、音響抵抗体ケース１２１の折り曲げ部１２６の折り曲げ度合いを適宜設定することにより、音響抵抗体１２０の構成を変えることなく、所望の音響抵抗値を得ることができる。さらに、設計仕様にしたがって上記折り曲げ部１２６の折り曲げ度合いを定めることにより、音響抵抗値のばらつきの少ない音響抵抗体１２０を容易に製作することができる。
【００４０】
以上説明した実施例にかかるダイナミックマイクロホンユニットは、これをマイクロホンケースに組み付けることにより、さらには、マイクロホンケースにマイクロホンユニットの出力信号を外部に出力するためのマイクロホンコネクタを組み付けることにより、ダイナミックマイクロホンが構成される。
【符号の説明】
【００４１】
１    ユニットケース
２    内ヨーク
３    磁石
４    ポールピース
５    振動板
６    ボイスコイル
１２０    音響抵抗体
１２１    音響抵抗体ケース
１２２    フェルト
１２３    カバー材
１２４    押さえ部材
１２５    孔
１２６    折り曲げ部
【図１】
0005661005.tif 000002
【図２】
0005661005.tif 000003
【図３】
0005661005.tif 000004
【図４】
0005661005.tif 000005
【図５】
0005661005.tif 000006
【図６】
0005661005.tif 000007
【図７】
0005661005.tif 000008